(57)【要約】      （修正有）【課題】船舶が障害物等の対象物体をレポートするためのシステムを提供する。【解決手段】コンピューティング装置は、ユーザ１２５が水域で対象物体を検知したことを示す入力を受信するよう構成されるユーザインターフェース１３５と、ユーザインターフェースに結合される処理装置であって、入力に応答して少なくともひとつのソースからデータを自動的に引き出し、引き出したデータを含むレポートを生成する処理装置と、処理装置に結合され、生成されたレポートを複数のナビゲーションチャートを含むデータベースに伝送するよう構成されるデータ伝送手段１４０とを備える。生成されたレポートは、データベースのうちの少なくとも一つ及び複数のナビゲーションチャートのうちの少なくとも一つが対象物体を含むよう更新されるために使用される。【選択図】図１
2014211872.tif 000002
【特許請求の範囲】
【請求項１】
ユーザが水域で対象物体を検知したことを表示する入力を受信するよう構成されたユーザインターフェースと、
前記ユーザインターフェースに結合された処理装置であって、 
前記入力に応答して、少なくとも一つのデータソースからデータを自動的に引き出し、前記引き出したデータを含むレポートを生成するよう構成される前記処理装置と、
前記処理装置に結合され、前記生成されたレポートを、複数のナビゲーションチャートを含むデータベースに伝送するよう構成されるデータ伝送手段であって、前記生成されたレポートは、前記データベースのうちの少なくとも一つ及び前記複数のナビゲーションチャートの少なくとも一つが前記対象物体を含むよう更新するために使用される、前記手段と  
を備えるコンピューティング装置。
【請求項２】
前記ユーザインターフェースは、前記対象物体の名称及び前記対象物体のカテゴリのうちの少なくとも一つを識別するユーザからの入力を受信するようさらに構成され、前記処理装置は、前記対象物体の前記名称及び前記対象物体の前記カテゴリのうちの前記少なくとも一つを含むレポートを生成するよう構成される、
請求項１に記載のコンピューティング装置。
【請求項３】
前記処理装置に通信可能に結合されるメモリをさらに備え、少なくとも一つのデータソースから自動的にデータを引き出すために、前記処理装置は、前記メモリから自動的にデータを引き出すよう構成される、
請求項１に記載のコンピューティング装置。
【請求項４】
前記メモリから自動的にデータを引き出すために、前記プロセッサは、前記コンピューティング装置の装置識別番号、及び、前記対象物体を含む領域をカバーするチャートのチャートコードのうちの少なくとも一つを自動的に引き出すよう構成される、請求項３に記載のコンピューティング装置。    
【請求項５】
少なくとも一つのデータソースから自動的にデータを引き出すために、前記処理装置は、深さトランスデューサ及び魚群探知機のうちの一つから自動的にデータを引き出すよう構成される、請求項１に記載のコンピューティング装置。
【請求項６】
深さトランスデューサ及び魚群探知機のうちの一つから自動的にデータを引き出すために、前記プロセッサは、前記対象物体の深度値、並びに、前記深さトランスデューサ及び前記魚群探知機うちの前記一つのデータページのスクリーンショットのうちの少なくとも一つを自動的に引き出すよう構成される、請求項５に記載のコンピューティング装置。
【請求項７】
少なくとも一つのデータソースから自動的にデータを引き出すために、前記処理装置は、ナビゲーションシステムから自動的にデータを引き出すよう構成される、請求項１に記載のコンピューティング装置。
【請求項８】
ナビゲーションシステムから自動的にデータを引き出すために、前記プロセッサは、前記対象物体が検知された座標位置、前記対象物体が検知された際の乗物の対地速力、及び前記対象物体が検知された際の前記乗物の対地針路のうちの少なくとも一つを自動的に引き出すよう構成される、請求項７に記載のコンピューティング装置。
【請求項９】
対象物体をレポートするためのシステムであって、前記システムは、
少なくとも一つのデータソースと、
前記少なくとも一つのデータソースと通信可能に結合されるコンピューティング装置であって、前記コンピューティング装置は、
ユーザが水域で前記対象物体を検知したことを表示する入力に応答して、前記少なくとも一つのデータソースから自動的にデータを引き出し、
前記引き出したデータを含むレポートを生成するよう構成されるコンピューティング装置と、
前記生成されたレポートを使用して、前記対象物体を含むよう更新可能な複数のナビゲーションチャートを含むデータベースと
を備えるシステム。
【請求項１０】
前記少なくとも一つのデータソースがチャートプロッタであり、前記データは、前記チャートプロッタの装置識別番号、及び、前記対象物体が含まれる領域をカバーするチャートのチャートコードのうちの少なくとも一つを含む、請求項９に記載のシステム。
【請求項１１】
前記少なくとも一つのデータソースがナビゲーションシステムであり、前記データは、前記対象物体が検知された座標位置、前記対象物体が検知された際の乗物の対地速力、及び前記対象物体が検知された際の前記乗物の対地針路のうちの少なくとも一つを含む、請求項９に記載のシステム。
【請求項１２】
対象物体をレポートする方法であって、前記方法は、
ユーザが水域で対象物体を検知したとの表示を処理装置において受信することと、
前記表示に応答して、少なくとも一つのデータソースからデータを自動的に引き出すことと、
前記処理装置を使用して、前記引き出したデータを含むレポートを生成することと、
前記生成されたレポートを使用して、データベース及びナビゲーションチャートのうちの少なくとも一つを、前記対象物体を含むよう更新することと
を含む方法。
【発明の詳細な説明】
【技術分野】
【０００１】
本発明の分野は、概してナビゲーションチャートに関係し、より具体的には、対象物体がナビゲーションチャートに含まれるよう、対象物体をレポートするために使用されるシステムに関する。
【背景技術】
【０００２】
水中あるいは水上で動作する例えば船舶のような乗物には、一又は複数のナビゲーションチャートを表示するためにチャートプロッタが使用される。表示されたチャートは、ユーザが水域を通って乗物を操縦することを援助する。既知のチャートのうちの少なくともいくつかは、一又は複数の対象物体の位置を表示する。例えば、対象物体が障害物である場合には、ユーザはその障害物を避けるためにナビゲーションチャートを使用することができる。
【０００３】
しかしながら、少なくともいくつかの対象物体は表示されるチャートに含まれず、あるいは不正確な位置に示され得る。例えば、より古いチャートが、より最近現れた対象物体を含まないこともありあり得る。さらに、いくつかの対象物体は時間の経過とともに移動し得る。しかも、いくつかの対象物体は、単純に、以前は存在が知られていなかったという理由でチャートに含まれないこともあり得る。
【０００４】
したがって、ユーザは、対象物体が新しい又は更新されたナビゲーションチャートに含まれるよう、対象物体をレポートすることができる。しかしながら、少なくともいくつかの既知のレポートシステムでは、ユーザが人間のオペレータに電話をかけて物体を説明することによって、及び／又は物体を説明するｅメールを作成し送信することによってレポートする。このようなプロセスはユーザにとって比較的時間がかかり、したがって、ユーザは、時間と手間を割いて物体をレポートする価値がないと判定し得る。さらに、少なくともいくつかの既知のレポートシステムでは、物体に関して集められる唯一の情報が物体の座標位置であるため、物体の存在を確認することが難しい。  
【発明の概要】
【０００５】
一態様では、コンピューティング装置が提供される。前記コンピューティング装置は、ユーザが水域で対象物体を検知したことを示す入力を受信するよう構成されるユーザインターフェースと、前記ユーザインターフェースに結合される処理装置であって、前記入力に応答して少なくともひとつのソースからデータを自動的に引き出し、前記引き出したデータを含むレポートを生成するよう構成される処理装置と、前記処理装置に結合され、前記生成されたレポートを複数のナビゲーションチャートを含むデータベースに伝送するよう構成されるデータ転送手段とを含み、前記生成されたレポートは、前記データベースのうちの少なくとも一つ及び前記複数のナビゲーションチャートのうちの少なくとも一つが前記対象物体を含むよう更新されるために使用される。
【０００６】
別の態様では、対象物体をレポートするシステムが提供される。前記システムは、少なくとも一つのデータソースと、前記少なくとも一つのデータソースに通信可能に結合されるコンピューティング装置であって、ユーザが水域で対象物体を検知したことを示す入力に応答して前記少なくとも一つのデータソースからデータを自動的に引き出し、前記引き出したデータを含むレポートを生成するコンピューティング装置と、複数のナビゲーションチャートを含み、前記生成されたレポートを使用して前記対象物体を含むよう更新可能なデータベースとを含む。
【０００７】
さらに別の態様では、対象物体をレポートする方法が提供される。前記方法は、処理装置において、ユーザが水域で対象物体を検知したことを示す表示を受信すること、前記表示に応答して、少なくとも一つのデータソースからデータを自動的に引き出すこと、前記処理装置を使用して、前記引き出されたデータを含むレポートを生成すること、並びに、前記生成されたレポートを使用して、少なくともひとつのデータベース及びナビゲーションチャートが前記対象物体を含むよう更新することを含む。
【０００８】
上述の特徴、機能及び利点は、様々な実施形態において独立に実現することができ、また別の実施形態において組み合わせることも可能であり、これらのさらなる詳細は以下の記載および添付図面を参照して理解されよう。
【図面の簡単な説明】
【０００９】
【図１】対象物体のレポートに使用され得る、例示的なチャートプロッタを示すブロック図である。
【００１０】
【図２】図１に示すチャートプロッタを使用して対象物体をレポートする際に使用される、例示的なシステムを示す概略図である。
【００１１】
【図３】図１に示すシステムと共に使用され得る例示的な方法のフロー図である。
【発明を実施するための形態】
【００１２】
本明細書に記載されるシステム及び方法は、ナビゲーションチャートが対象物体を含むようタイムリーかつ効率的な方式で更新されるよう、対象物体をレポートすることを可能にする。例示的な実施形態では、対象物体が検知されたというユーザからの表示をチャートプロッタが受信し、これに応答して、チャートプロッタは一又は複数のデータソースからデータを引き出し、このデータを含むレポートを生成する。このレポートを、ナビゲーションチャートを対象物体を含むよう更新するのに使用することができる。
【００１３】
本明細書に記載された方法とシステムの技術的効果は、下記の少なくとも一つを含む。（ａ）ユーザが水域で対象物体を検知したことを示す表示を受信すること、（ｂ）表示に応答して少なくとも一つのデータソースからデータを自動的に引き出すこと、（ｃ）引き出したデータを含むレポートを生成すること、（ｄ）生成されたレポートをデータベースに伝送すること、（ｅ）データベース内の少なくともひとつのナビゲーションチャートを、対象物体を含むよう更新すること。
【００１４】
図１は、対象物体のレポートに使用され得る例示的なチャートプロッタ１００を示すブロック図である。チャートプロッタ１００は、本明細書においてはチャートプロッタと称されるが、本明細書に記載の機能を実行できる任意のコンピューティング装置であってよい。チャートプロッタ１００は、少なくとも１つのメモリ装置１１０と、命令の実行のためにメモリ装置１１０に結合されたプロセッサ１１５とを含む。いくつかの実施形態では、実行可能な命令はメモリ装置１１０に保存される。例示的な実施形態では、チャートプロッタ１００は、プロセッサ１１５をプログラムすることにより、本明細書に記載の一又は複数の動作を実行する。例えば、プロセッサ１１５は、動作を一又は複数の実行可能な命令としてコード化すること、及びメモリ装置１１０で実行可能な命令を提供することによってプログラム可能である。  
【００１５】
プロセッサ１１５は一又は複数の処理ユニット（例えば、マルチコア構成で）を含むことができる。さらに、プロセッサ１１５は、単一のチップ上に一次プロセッサと二次プロセッサとが共存する一又は複数の異種プロセッサシステムを使用して実装されてもよい。別の実施例では、プロセッサ１１５は同種のプロセッサを複数個含む対称型マルチプロセッサシステムとすることができる。さらに、プロセッサ１１５は、一又は複数のシステム及びマイクロコントローラ、マイクロプロセッサ、縮小命令セット回路（ＲＩＳＣ）、特定用途向け集積回路（ＡＳＩＣ）、プログラマブルロジック回路（ＰＬＣ）、フィールドプログラマブルゲートアレイ（ＦＰＧＡ）、及び本明細書に記載の機能を実行できる、任意の他の回路を使用して実装されてもよい。例示的な実施形態では、プロセッサ１１５は、本明細書で記載するように、対象物体を識別するレポートを生成する。
【００１６】
例示的な実施形態では、メモリ装置１１０は、実行可能な命令及び／又は他のデータなどの情報が保存され引き出されることを可能にする一又は複数の装置である。メモリ装置１１０は、限定しないが、ダイナミックランダムアクセスメモリ（ＤＲＡＭ）、スタティックランダムアクセスメモリ（ＳＲＡＭ）、ソリッドステートディスク、及び／又はハードディスクなど、一又は複数のコンピュータ可読媒体を含んでもよい。メモリ装置１１０は、限定しないが、アプリケーションソースコード、アプリケーションオブジェクトコード、ソースコードの注目部分、オブジェクトコードの注目部分、構成データ、実行イベント及び／又は任意の他の種類のデータを保存するように構成されてもよい。
【００１７】
例示的な実施形態では、チャートプロッタ１００は、プロセッサ１１５に結合される提示インターフェース１２０を含む。提示インターフェース１２０は、ナビゲーションチャートなどの情報を、ユーザ１２５に提示する。例えば、提示インターフェース１２０は、陰極線管（ＣＲＴ）、液晶ディスプレイ（ＬＣＤ）、発光ダイオード（ＬＥＤ）ディスプレイ、有機ＬＥＤ（ＯＬＥＤ）ディスプレイ、及び／又は「電子インク」ディスプレイなどのディスプレイ装置に結合されたディスプレイアダプタ（図示せず）を含み得る。いくつかの実施形態では、提示インターフェース１２０は、一又は複数のディスプレイ装置を含む。 
【００１８】
例示的な実施形態では、チャートプロッタ１００は、ユーザ入力インターフェース１３５を含む。ユーザ入力インターフェース１３５はプロセッサ１１５に結合され、ユーザ１２５からの入力を受信する。ユーザ入力インターフェース１３５は、例えば、キーボード、ポインティング装置、マウス、スタイラスペン、タッチセンサーパネル（例えば、タッチパッド又はタッチスクリーン）、ジャイロスコープ、加速度計、位置検出器、及び／又は音声入力インターフェースを含み得る。タッチスクリーンなどの単一コンポーネントは、提示インターフェース１２０のディスプレイ装置及びユーザ入力インターフェース１３５の双方として機能し得る。
【００１９】
チャートプロッタ１００は、例示的な実施形態では、プロセッサ１１５に結合される通信インターフェース１４０を含む。通信インターフェース１４０は一又は複数の遠隔装置と通信する。遠隔装置と通信するために、通信インターフェース１４０は、例えば有線ネットワークアダプタ、無線ネットワークアダプタ、及び／又は移動体通信アダプタを含み得る。
【００２０】
図２は、対象物体（図示せず)をレポートするのに使用され得る、チャートプロッタ１００の使用を含むシステム２００の概略図である。チャートプロッタ１００は、本明細書で詳細に記載するように、対象物体を識別するレポートを生成する。各レポートは、例えば、地図及び／又は海図データベースなどのデータベース２０４に提供される。データベース２０４及び／又はデータベース２０４に保存される適用可能なチャート２０６は、レポートに含まれる情報を使用して更新されることができる。
【００２１】
例示的な実施形態では、チャートプロッタ１００は、水中あるいは水上で動作する例えば船舶のような乗物（図示せず）に搭載される。水域は、任意の種類の水域（例えば湖、河川、海洋など）であってよい。チャートプロッタ１００は、一又は複数のナビゲーションチャートを提示インターフェース１２０（図１に示す）に表示し、ユーザ１２５（図１に示す）が水域で乗物を操縦することを援助する。チャートは、例えば、メモリ装置１１０（図１に示す）に保存されてもよい。チャートプロッタ１００は、どのチャートが表示されるべきかを判定するために、例えば全地球測位システム（ＧＰＳ）データなどのナビゲーションデータを使用してもよい。あるいは、チャートプロッタ１００は、ユーザ入力インターフェースを介したユーザ１２５の入力に基づいて、選択的にチャートを表示してもよい。
【００２２】
操縦を援助するために、チャートプロッタ１００に表示されるチャートは、一又は複数の対象物体を含み得る。例えば、チャートは、水域での障害物の位置を表示し得る。表示されたチャート上で障害物を観測することにより、ユーザ１２５は、障害物を避けるように乗物を操作することができる。別の例では、対象物体は難破船であり得るが、チャートプロッタ１００を使用すれば、スクーバダイバーが難破船の位置確認することが可能である。  
【００２３】
本明細書で使用されるように、対象物体は、ナビゲーションチャート上で表示されるあるいは他の方法で示される、特徴、物品、及び／又はランドマークを含み得る。例えば、対象物体は、岩層、 切り株、難破船、瓦礫、貨物用コンテナ、又は砂州を含み得る。対象物体は、水域の表面、又は、水域中に少なくとも部分的に沈んでいる状態で位置確認され得る。
【００２４】
少なくともいくつかの対象物体は表示されるチャートに含まれず、あるいは不正確な位置に示され得る。例えば、最新バージョンのチャートが公開された後に、貨物用コンテナが艀から落下し川底で静止した場合、その貨物用コンテナはチャートに含まれないであろう。さらに、いくつかの対象物体、例えば砂州などは時間の経過とともに移動することもあり、結果として以前のチャートが期限切れとなってしまう。しかも、いくつかの対象物体はチャートが作成された時には存在していたはずであるのに、チャートに含む際には単純に発見できないこともあり得る。したがって、ユーザ１２５が、チャートに含まれていない又はチャートの異なる位置に示されている対象物体を視覚的に又は器具の補助のもとに観測した際に、システム２００により、ユーザ１２５は、レポートされた対象物体が効率的な方法で新しい又は更新されたチャートに含まれるよう、対象物体をレポートすることができる。
【００２５】
例示的な実施形態では、チャートプロッタ１００及びより具体的にはプロセッサ１１５（図１に示す）は、対象物体を識別するレポートを生成する。レポートは、一又は複数のデータソース２１０からのデータを含む。例示的な実施形態では、データソース２１０はチャートプロッタ１００自体と、深さトランスデューサ２１４（又は魚群探知機）と、ナビゲーションシステム２１６とを含む。あるいは、データソース２１０は、本明細書に記載するようなレポート生成の際に使用するデータをチャートプロッタ１００に供給できる、任意の他の装置を含んでもよい。
【００２６】
例示的な実施形態では、レポートは、チャートプロッタ１００に関連する構成データを含む。例えば、そのような構成データは、チャートプロッタ１００の装置識別番号（例えばシリアルナンバー）、及び／又は対象物体の位置に対応したチャートを識別する（すなわち、対象物体が位置する領域をカバーするチャートを識別する）チャートコードを含んでもよい。チャートコードは、チャートの公開データ（すなわちそのチャートがどの程度古いかを示すタイムスタンプ）も示す。装置識別番号及びチャートコードは、例えば、メモリ装置１１０に保存され得る。
【００２７】
レポートは、例示的な実施形態では、深さトランスデューサ２１４からのトランスデューサデータも含む。トランスデューサデータは、例えば、深さトランスデューサ２１４を使用して記録した物体の深度値、及び／又は深さトランスデューサ２１４からのデータページのスクリーンショットを含んでもよい。
【００２８】
例示的な実施形態では、レポートはナビゲーションシステム２１６からのナビゲーションデータも含む。ナビゲーションシステム２１６は、チャートプロッタ１００が動作する乗物に組み込まれてもよい。ナビゲーションデータは、例えば、対象物体の座標位置（緯度と経度など）、物体が位置確認された日付、物体が位置確認された時刻、物体が位置確認された際の乗物の対地速力（ＳＯＧ)、及び物体が位置確認された際の対地針路（ＣＯＧ）を含み得る。明らかに、レポートに含まれるものとしてここで挙げた具体的な種類のデータは、単なる例である。他の実施形態では、レポートは、対象物体の識別と位置確認を容易にする任意のデータセットを含み得る。
【００２９】
例示的な実施形態では、チャートプロッタ１００は、通信インターフェース１４０（図１に示す）を介してデータソース２１０に結合される。したがって、チャートプロッタ１００はレポートのためのデータを、データソース２１０から直接、自動的に引き出すことができる。あるいは、チャートプロッタ１００がデータソース２１０に結合されない実施形態では、ユーザ１２５がデータソース２１０からチャートプロッタ１００へと手動でデータを入力することができる。
【００３０】
例示的な実施形態では、チャートプロッタ１００は、例えばユーザ入力インターフェース（図１に示す）を使用したユーザ入力に応答して、データソース２１０から自動的にデータを引き出す。つまり、ユーザ１２５がチャートプロッタ１００に含まれていない又は異なる位置に示されている対象物体を視覚的に又は器具の補助のもとに観測した際に、ユーザ１２５は、チャートプロッタ１００に、データソース２１０からデータを自動的に引き出して関連するレポートを生成させるような入力を入れることができる。ユーザ１２５はユーザ入力インターフェース１３５を使用して、追加データでレポートを補足してもよい。例えば、レポートを生成する際に、チャートプロッタ１００は、ユーザに対象物体のカテゴリ（例えば、難破船、瓦礫、切り株、砂州など）及び／又は対象物体の名称を供給するようリクエスト（例えば、提示インターフェース１２０上に表示されるプロンプトを介して）することもできる。
【００３１】
チャートプロッタ１００により生成されたレポートはデータベース２０４に提供される。例示的な実施形態では、生成されたレポートは暗号化され、メモリカード２３０にファイルとして保存される。少なくともいくつかの実施形態では、メモリカード２３０はメモリ装置１１０として機能する。メモリカード２３０は、例えば、セキュアデジタル（ＳＤ）カード又はユニバーサルシリアルバス（ＵＳＢ）記憶装置を含み得る。メモリカード２３０を使用し、ユーザ１２５は、生成したレポートファイルを有線もしくは無線ネットワークによりデータベース２０４にアップロードすることができ、又はメモリカード２３０をデータベース２０４の管理責任者である人間のオペレータに提供することができる。
【００３２】
あるいは、レポートは、他の任意好適な伝送手段でデータベース２０４に供給され得る。例えば、通信インターフェース１４０を使用して、チャートプロッタ１００は、有線又は無線ネットワークを含む任意好適な通信手段で、生成したレポートをデータベース２０４に直接伝送することができる。さらに、レポートは、通信インターフェース１４０がデータベース２０４との通信リンクを確立するにあたり、又は、ユーザ入力に応答して、自動的に伝送され得る。ここで使用されるように、レポートをデータベース２０４に伝送することは、メモリスティック、メモリカード、有線ネットワーク、無線ネットワークの使用、及び／又は、チャートプロッタ１００からデータベース２０４へのデータ転送のための、他の任意好適な手段の使用を含む。
【００３３】
例示的な実施形態では、データベース２０４に保存されたチャート２０６が、レポートされた対象物体を含むよう更新されるべきかどうかを、人間のオペレータが判定する。例えば、レポートされた対象物体の精度を検証するために、チャート２０６は、対象物体を識別するレポートがさらに２件以上受信されてからのみ更新されてもよい。さらに、レポート内のデータが、レポートの精度を示してもよい。例えば、対象物体が、乗物が比較的速い対地速力で移動中に位置確認されたとレポートが示している場合には、同じレポート中の、深さトランスデューサ２１４により得られたデータは不正確であり得る。あるいは、チャートプロッタ１００から供給されたレポートは、データベース２０４中の適切なチャート２０６を自動更新するために使用され得る。
【００３４】
少なくともいくつかの実施形態では、レポートは追加のデータベース（図示せず）に保存される。レポートは、レポート中の対象物体がチャートプロッタ１００に表示されるよう、追加のデータベースからチャートプロッタ１００に付加価値データとしてダウンロードされてもよい。一実施形態では、チャートプロッタ１００に付加価値データ表示するかどうか（すなわち、付加価値データの表示のオンオフ）を、ユーザ１２５がユーザ入力インターフェース１３５を使用して選択できる。レポートがデータベース２０４及び／又はチャート２０６の更新に使用されると、レポートは中間データベースから取り除かれてもよい。    
【００３５】
データベース２０４に保存され、一又は複数のレポートによって対象物体を伴い更新されたチャート２０６は、種々のアプリケーションに使用され得る。例えば、チャート２０６は、チャートプロッタ１００の更新としてユーザ１２５に提供され得る。チャート２０６は、例えば、レジャー航行、釣り、及び／又はスクーバダイビング／シュノーケリングでの対象の場所探しを含む海上ナビゲーションとして使用され得る。さらに、チャート２０６は、携帯装置（例えばスマートフォンやタブレットなど）用のソフトウェアアプリケーション中で、及び、コンピューティング装置を用いて実装された地理情報システム中で使用され得る。少なくともいくつかの実施形態では、データベース２０４はレポートから更新され、データベース２０４自体が顧客（例えば、ユーザ１２５）に提供される。さらにいくつかの実施形態では、生成されたレポートは、各々が別個のチャート２０６のセットを有する複数のデータベース２０４に提供され得る。
【００３６】
いくつかの実施形態では、ユーザ１２５の対象物体のレポートを奨励するために、ユーザ１２５はデータベース２０４にレポートを供給することと引き換えに報酬を得てもよい。例えば、ユーザ１２５は、レポートされた物体を含む更新されたチャートを無料又は割引された価格で受け取ってもよい。
【００３７】
図３は、対象物体のレポートに使用される例示的な方法３００のフロー図である。プロセッサ１１５（図１に示す）のような処理装置において、ユーザが水域で対象物体を検知したとの表示が受信される  ３０２。この表示に応答して、データソース２１０（図２に示す）のような少なくとも一つのデータソースからデータが自動的に引き出される  ３０４。引き出されたデータを含むレポートが、処理装置により生成される  ３０６。チャート２０６（図２に示す）のような少なくとも一つのナビゲーションチャートが、生成されたレポートを使用して、対象物体体を含むよう更新される  ３０８。
【００３８】
本明細書に記載されている実施形態は、ナビゲーションチャートが対象物体を含んで更新されるよう、対象物体が容易にレポートされることを可能にする。対象物体が検知されたというユーザからの表示をチャートプロッタが受信すると、チャートプロッタは一又は複数のデータソースからデータを自動的に引き出し、この新しいデータを含むレポートを生成する。このレポートを使用して、ナビゲーションチャートが対象物体を含むよう更新されることができる。
【００３９】
ユーザがオペレータとインターフェースする及び／又はｅメールを送信することを必要とする、少なくともいくつかの既知のレポーティングシステムと異なり、本明細書に記載されるシステム及び方法は、対象物体を識別するレポートが比較的小さなユーザ入力により生成されるよう、データが容易に収集されレポートされることを可能にする。さらに、対象物体の座標のみがレポートされる、少なくともいくつかの既知のレポーティングシステムと比較して、本明細書に記載されるシステム及び方法は、レポートが、物体の位置確認及び識別を援助する追加のデータを含む。
【００４０】
本明細書に記載されている実施形態は、限定するものではないが、記憶装置又はコンピューティング装置のメモリ領域を含む、コンピュータ可読媒体に実装される、実行可能な命令を利用することができる。このような命令は、一又は複数のプロセッサで実行された場合、本明細書に記載された方法の少なくとも一部をプロセッサに行わせる。本明細書で使用されているように、「記憶装置」は、データを保存するために動作可能なハードドライブ、ソリッドステートメモリ装置、及び／又は光ディスクなどの有形の品目である。
【００４１】
本発明の種々の実施形態の特定の機能が、一部の図面には示されて他の図面には示されないことがあるが、このような図解は便宜的に行われているにすぎない。本発明の原理に従い、図面の任意の機能は、任意の他の図面の任意の他の機能と組み合わせて参照及び／又は特許請求されることがある。
【００４２】
本明細書では、ベストモードを含め、様々な実施形態を開示する実施例を使用しているため、当業者は任意の機器やシステムの作成ならびに使用、及び組込まれた任意の方法の実施を含む実施形態を実行することができる。特許性の範囲は、特許請求の範囲によって画定され、当業者が想到する他の例も含み得る。このような他の例は、それらが特許請求の範囲の文言と異ならない構成要素を有する場合、あるいは、それらが特許請求の範囲の文言とわずかに異なる同等の構成要素を有する場合は、特許請求の範囲の範囲内にあることを意図する。
【００４３】
以下の段落は、本発明の実施形態のさらなる態様を説明する。
Ａ１．対象物体をレポートする方法であって、前記方法は、
ユーザが水域で対象物体を検知したとの表示を処理装置において受信することと、
前記表示に応答して、少なくとも一つのデータソースからデータを自動的に引き出すことと、
前記処理装置を使用して、前記引き出したデータを含むレポートを生成することと、
前記生成されたレポートを使用して、データベース及びナビゲーションチャートのうちの少なくとも一つを、前記対象物体を含むよう更新することとを含む方法。
Ａ２．前記生成されたレポートを前記データベースに伝送することをさらに含み、前記データベースに前記少なくとも一つのナビゲーションチャートが保存されている、段落Ａ１に記載の方法。
Ａ３．自動的にデータを引き出すことが、前記チャートプロッタの装置識別番号、及び、前記対象物体を含む領域をカバーするチャートのチャートコードのうちの少なくとも一つを、チャートプロッタから自動的に引き出すことを含む、段落Ａ１に記載の方法。
Ａ４．自動的にデータを引き出すことが、深さトランスデューサ及び魚群探知機のうちの一つから、前記対象物体の深度値、並びに、前記深さトランスデューサ及び前記魚群探知機うちの一つのデータページのスクリーンショットのうちの少なくとも一つを自動的に引き出すことを含む、段落Ａ１に記載の方法。
Ａ５．自動的にデータを引き出すことが、ナビゲーションシステムから、前記対象物体が検知された座標位置、前記対象物体が検知された際の対地速力、及び前記対象物体が検知された際の対地針路のうちの少なくとも一つを自動的に引き出すことを含む、段落Ａ１に記載の方法。
Ａ６．前記対象物体の名称及びカテゴリのうちの少なくとも一つを含むユーザ入力を前記処理装置において受信することをさらに含み、前記生成されたレポートが、前記対象物体の前記名称及び前記カテゴリのうちの前記少なくとも一つを含む、前記段落Ａ１に記載の方法。 
【符号の説明】
【００４４】
１００    チャートプロッタ
１１０    メモリ装置
１１５    プロセッサ
１２０    提示インターフェース
１２５    ユーザ
１３５    ユーザ入力インターフェース
１４０    通信インターフェース
２０４    データベース
２０６    チャート
２１０    データソース
２１４    深さトランスデューサ
２１６    ナビゲーションシステム
２３０    メモリカード
【図１】
2014211872.tif 000003
【図２】
2014211872.tif 000004
【図３】
2014211872.tif 000005
【外国語明細書】
2014211872000001.pdf
2014211872000002.pdf
2014211872000003.pdf
2014211872000004.pdf